(57)【要約】【課題】本発明は、吸着式ろ過システムを利用したものであって、印刷機以外に使用しても有効で、小型化の容易なろ過装置を提供することを課題とする。【解決手段】被ろ過水に含まれる不純物を吸着する吸着材を本体ケースの内部に収容し、ろ過すべき被ろ過水が入った水槽に本体ケースの下半部を浸水させ、上記の水槽内に給水ポンプを投入して水槽内の液体を汲み上げて上記の本体ケース内に被ろ過水を注入し、上記の被ろ過水に含まれる不純物を吸着材に吸着させて被ろ過水をろ過し、ろ過した被ろ過水を本体ケース外に排出することを特徴とする。【選択図】図１
2011235274.tif 000002
【特許請求の範囲】
【請求項１】
被ろ過水に含まれる不純物を吸着する吸着材を本体ケースの内部に収容し、
ろ過すべき被ろ過水が入った水槽に本体ケースの下半部を浸水させ、
上記の水槽内に給水ポンプを投入して水槽内の被ろ過水を汲み上げて上記の本体ケース内に被ろ過水を給水し、
上記の被ろ過水に含まれる不純物を吸着材に吸着させて被ろ過水をろ過し、
ろ過した被ろ過水を本体ケース外に排出することを特徴とするろ過装置。
【請求項２】
上記の本体ケースは、透明部材により形成されていることを特徴とする請求項１記載のろ過装置。
【請求項３】
上記の本体ケースに、上記の吸着材が収容されている補助ろ過部を形成したことを特徴とする請求項１乃至２記載のろ過装置。
【請求項４】
上記の補助ろ過部は、透明部材により上記の本体ケースと一体的に形成されていることを特徴とする請求項１乃至３記載のろ過装置。
【請求項５】
上記の本体ケースの内部に、被ろ過水を給水する給水管を挿入し、該給水管を上記の本体ケースに支持させ、該給水管を旋回させて上記の吸着材を攪拌することを特徴とする請求項１乃至４記載のろ過装置。
【請求項６】
上記の吸着材は、珪藻土の表面に１乃至２μｍ幅のマイクロスリットと無数のポーラスが、内部には３乃至１０ｎｍのポーラス構造と１００ｎｍのセル構造が形成されたものであることを特徴とする請求項１乃至４記載のろ過装置。
【請求項７】
上記の吸着材は、活性炭の表面に１乃至２μｍ幅のマイクロスリットと無数のポーラスが、内部には３乃至１０ｎｍのポーラス構造と１００ｎｍのセル構造が形成されたものであることを特徴とする請求項１乃至４記載のろ過装置。
【発明の詳細な説明】
【技術分野】
【０００１】  本発明は、水中に含まれる微小（ナノサイズ）な不純物、例えば、観賞魚用水槽における雑菌、油分、または、オフセット印刷機における紙粉、インキ滓、油分、スプレーパウダー成分などの不純物をろ過するろ過装置に関する。
【背景技術】
【０００２】  例えば、オフセット印刷機においては、常にきれいな湿し水をこの印刷機に送水することで高品質な印刷物が得られる。
このため、印刷によって汚れた湿し水はろ過されるか、または、入れ替えられていた。
ここで、湿し水は、Ｐｈ値によっても汚れやすさは変化する。【０００３】  そこで、表面張力、保水性、Ｐｈ値や汚れを調整するために、ＩＰＡが使われてきたが、代替品などが添加されることもある。
そして、湿し水の汚れに伴って発生していた印刷トラブルがなくなれば、印刷紙の損失を大幅に減らすことができる。また、湿し水の交換、循環冷却タンク内の清掃、印刷トラブル復旧作業などの負担も軽減でき、印刷コストの大幅な削減を図ることができる。【０００４】  上記のようなろ過装置には、フィルタ式ろ過システムまたは吸着式ろ過システムが利用されている。【０００５】  そして、フィルタ式ろ過システムは、粗目、中目、細目など多段のスポンジフィルタとカートリッジフィルタを組み合わせて構成されている。
ここで、紙粉、インキ滓、油分、スプレーパウダー成分などの不純物をフィルタで効果的に捕集するためには、フィルタ目を分子径ほどに小さくしなければならない。その場合、使用時間が経過するに従って、目詰まり効果が生じて捕集寿命が短くなるという不具合がある。【０００６】  そこで、新たな吸着式ろ過システムが提案されている。この吸着式ろ過システムは、吸着剤として特殊な珪藻土または活性炭を一定処理したものを使用している（印刷ジャーナル、２０１０年１月２５日発行参照）。
【先行技術文献】
【非特許文献】
【０００７】
【非特許文献１】印刷ジャーナル、２０１０年１月２５日発行
【発明の概要】
【発明が解決しようとする課題】
【０００８】  本発明は、上記の吸着式ろ過システムをさらに工夫したものであって、印刷機以外に使用しても有効で、小型化の容易なろ過装置を提供することを課題とする。
【課題を解決するための手段】
【０００９】  上記の課題を解決するために、本発明のろ過装置は、被ろ過水に含まれる不純物を吸着する吸着材を本体ケースの内部に収容し、ろ過すべき被ろ過水が入った水槽に本体ケースの下半部を浸水させ、上記の水槽内に給水ポンプを投入して水槽内の液体を汲み上げて上記の本体ケース内に液体を注入し、上記の被ろ過水に含まれる不純物を吸着材に吸着させて被ろ過水をろ過し、ろ過した被ろ過水を本体ケース外に排出することを特徴とするものである。【００１０】  また、上記の本体ケースは、透明部材により形成されていることを特徴とする。【００１１】  また、上記の本体ケースに、上記の吸着材が収容されている補助ろ過部を形成したことを特徴とする。【００１２】  また、上記の補助ろ過部は、透明部材により上記の本体ケースと一体的に形成されていることを特徴とする。【００１３】  また、上記の本体ケースの内部に、被ろ過水を給水する給水管を挿入し、該給水管を上記の本体ケースに支持させ、該給水管を旋回させて上記の吸着材を攪拌することを特徴とする。【００１４】  また、吸着材は、珪藻土の表面に１乃至２μｍ幅のマイクロスリットと無数のポーラスが、内部には３乃至１０ｎｍのポーラス構造と１００ｎｍのセル構造が形成されたものであることを特徴とする。【００１５】  また、吸着材は、活性炭の表面に１乃至２μｍ幅のマイクロスリットと無数のポーラスが、内部には３乃至１０ｎｍのポーラス構造と１００ｎｍのセル構造が形成されたものであることを特徴とする。
【発明の効果】
【００１６】  本発明のろ過装置は、ろ過すべき被ろ過水が入った水槽に本体ケースの下半部を浸水させ、上記の水槽内に給水ポンプを投入して水槽内の液体を汲み上げ、被ろ過水に含まれる不純物を吸着する吸着材を本体ケースの内部に収容し、上記の本体ケース内に被ろ過水を注入し、上記の被ろ過水に含まれる不純物を吸着材に吸着させて被ろ過水をろ過し、ろ過した被ろ過水を本体ケース外に排出するので、被ろ過水中に含まれる雑菌、油分などの微小の不純物を確実に吸着材で吸着してろ過でき、また、ろ過装置を軽量小型に構成できる。【００１７】  また、本発明のろ過装置は、本体ケースが透明部材により形成されているので、上記の吸着部材による不純物の吸着状態が目視で簡単に確認できる。【００１８】  また、本発明のろ過装置は、本体ケースに上記の吸着材が収容されている補助ろ過部が形成されているので、本体ケース内が満杯になっても被ろ過水はオーバーフロウしてろ過される。【００１９】  また、本発明のろ過装置は、補助ろ過部が透明部材により上記の本体ケースと一体的に形成されているので、本体ケース内及び補助ろ過部ともに上記の吸着部材による不純物の吸着状態が目視で簡単に確認できる。【００２０】  また、本発明のろ過装置は、上記の本体ケースの内部に、被ろ過水を給水する給水管を挿入し、該給水管を上記の本体ケースに支持させ、該給水管を旋回させて上記の吸着材を攪拌するので、被ろ過水中に含まれる雑菌、油分などの微小の不純物を確実、かつ効果的に吸着材で吸着することができる。【００２１】  また、本発明のろ過装置は、吸着材として、珪藻土の表面に１乃至２μｍ幅のマイクロスリットと無数のポーラスが、内部には３乃至１０ｎｍのポーラス構造と１００ｎｍのセル構造が形成されたものであるので、被ろ過水中に含まれる微小の不純物を良く吸着できる。【００２２】  また、本発明のろ過装置は、吸着材として、活性炭の表面に１乃至２μｍ幅のマイクロスリットと無数のポーラスが、内部には３乃至１０ｎｍのポーラス構造と１００ｎｍのセル構造が形成されたものであるので、被ろ過水中に含まれる微小の不純物を良く吸着できる。
【図面の簡単な説明】
【００２３】
【図１】  本発明のろ過装置の一実施例を示す説明図である。
【図２】  本発明のろ過装置の他の実施例を示す説明図である。
【図３】  本発明のろ過装置を使用した状態の説明図である。
【発明を実施するための形態】
【００２４】  以下、本発明のろ過装置の実施例を図面に基づいて説明する。
【実施例】
【００２５】  図１は、本発明を適用したろ過装置の正面図にして、観賞魚用水槽のろ過を目的としたろ過装置の使用状態を示す図である。【００２６】  同図において、１は観賞魚用水槽、２はろ過装置、３は給水ポンプ、４は本体ケースで、本体ケース４の下部に吸着材５が収容されている。ろ過装置２は観賞魚用水槽１中に本体ケース４の下半部が浸水されている。
給水ポンプ３で、観賞魚用水槽１中の被ろ過水Ｗを汲み上げ、本体ケース４の上部から本体ケース４内に給水する。給水ポンプ３からの給水管６は、キャップ部４Ａの上方から下方に貫通し、吸着材５中に給水管６の終端部７が挿入され、穴７Ａから放水されている。
なお、給水管６の途中には、逆止弁８が設けられている。
これにより、被ろ過水Ｗに吸着材５に接触させて含まれる雑菌、油分などの不純物を吸着させる。【００２７】  上記の本体ケース４は、キャップ部４Ａとフィルタ部４Ｂの上下別体に形成され、キャップ部４Ａは、フィルタ部４Ｂに対してねじ嵌合されている。また、キャップ部４Ａには、空気抜き穴９が設けられている。キャップ部４Ａはプラスチィックなどで透明部材により、フィルタ部４Ｂは吸着材５よりフィルタ目が小さい不織布などの部材により形成される。
フィルタ部４Ｂは、プラスチィックなどの透明部材により形成することもある。
これにより、本体ケース４内部の状態や吸着材５の状態を目視確認でき、清掃するかどうかの判断を容易化することができるとともに、清掃が容易にできるようになるものである。【００２８】  また、キャップ部４Ａには、補助ろ過部１０が一体的に形成されている。この補助ろ過部１０は、大径部１０Ａと補助フィルタ部１０Ｂとからなる。補助フィルタ部１０Ｂ内には、本体ケース１内と同様に吸着材５が収容されている。ここで、本体ケース４に給水された被ろ過水Ｗが満杯になったとき、オーバーフロウするようになっている。
この場合も、吸着剤５により、被ろ過水Ｗは含まれる不純物が吸着されてろ過されることとなる。【００２９】  上記の吸着剤５は、珪藻土の表面に１乃至２μｍ幅のマイクロスリットと無数のポーラスが、内部には３乃至１０ｎｍのポーラス構造と１００ｎｍのセル構造が形成されたものである。これにより、観賞魚用水槽１中に含まれる微小（ナノサイズ）な不純物を吸着剤５により、吸着してろ過することができる。【００３０】  また、上記の吸着剤５は、活性炭の表面に１乃至２μｍ幅のマイクロスリットと無数のポーラスが、内部には３乃至１０ｎｍのポーラス構造と１００ｎｍのセル構造が形成されることもある。この場合も、同様に、観賞魚用水槽１中に含まれる微小（ナノサイズ）な不純物を吸着剤５により吸着してろ過することができる。【００３１】  図２は、本発明の他の実施例を示す図であり、上記の本体ケース２１の内部に、被ろ過水Ｗを給水する給水管２２を挿入し、該給水管２２を上記の本体ケース２１に支持させ、該給水管の下部２４を旋回させて上記の吸着材５を攪拌することを特徴とする。【００３２】  本実施例で、２０はろ過装置であって、本体ケース２１のキャップ部２１Ａに給水管２２を支持具２３により支持させている。その給水管２２の下部２４を逆Ｌ字状に形成し、給水管２２の上部にモータＭを接続して上記逆Ｌ字状の下部２４を、支持具２３を中心にして旋回させるものである。
他の構成は前記の実施例と同じであり、同一部材は同一符号を付してある。本体ケース２１は、キャップ部２１Ａとフィルタ部２１Ｂの上下別体に形成されている。キャップ部２１Ａは、フィルタ部２１Ｂに対してねじ嵌合され、キャップ部２１Ａには、空気抜き穴９が設けられている。
また、補助ろ過部２５が、キャップ部２１Ａに一体的に形成されていることもおなじである。【００３３】  上記の構成により、モータＭで逆Ｌ字状の下部２４を旋回させると、吸着材５が攪拌されるため、不純物に対する吸着材５の吸着効果がさらに向上するものである。【００３４】  図３は、本発明のろ過装置２を、オフセット印刷機３０に適用した実施例を示す図で、オフセット印刷機３０に、湿し水Ｗ１用の給水タンク３１が設けられているものである。この給水タンク３１の湿し水Ｗ１内に、本発明のろ過装置１を挿入したものである。ここで、ろ過装置２の構成は図１で説明したものと同じである。
給水ポンプ３を給水タンク３１に挿入するとともに、本体ケース４の下半部を浸水させている。また、補助ろ過部１０の下部が湿し水Ｗ１に浸っている。【００３５】  上記のように、本発明のろ過装置は給水ポンプで汲み上げた被ろ過水を本体ケース内に送り、吸着材に吸着させてろ過するものである。
オフセット印刷機おいては、湿し水によって印刷品質が大きく影響するものであるが、これにより不純物がろ過され、湿し水が安定して高品質の印刷が確保される効果がある。
【産業上の利用可能性】
【００３６】  本発明のろ過装置は、家庭における観賞魚用水槽のろ過、オフセット印刷機における給水装置における被ろ過水のろ過など広範囲に利用可能である。
【符号の説明】
【００３７】１        観賞魚用水槽
２、２０  ろ過装置
３        給水ポンプ
４、２１  本体ケース
５        吸着材
６、２２  給水管
７        給水管６の終端部
２３      支持具
２４      逆Ｌ字状の下部
３０      オフセット印刷機
３１      給水タンク
Ｗ        被ろ過水
Ｗ１      湿し水
【図１】
2011235274.tif 000003
【図２】
2011235274.tif 000004
【図３】
2011235274.tif 000005